(57)【特許請求の範囲】
【請求項１】
正圧接続口（１）と負圧側切替口（２）を有する管路（３）、負圧接続口（４）と正圧側切替口（５）を有する管路（６）、前記正圧接続口（１）と負圧接続口（４）の何れかを選択的に開口する切替弁ユニット（７）、前記負圧側切替口（２）と他の管路Ａとを接続し得る管路（８）、並びに、該管路（８）が接続している場合にのみ、他の管路Ｂと接続し得る吸気用管路（９）を有する切替え管路部（２０）、及び、前記正圧側切替口（５）と他の管路Ｂとを接続し得る管路（１０）並びに該管路（１０）が接続している場合のみに前記他の管路Ａと接続し得る排気用管路（１１）を有する切替え管路部（２１）から成る管路切替ユニット（２２）とを有する気体回路切替装置であって、前記負圧接続口（４）が閉鎖されて正圧接続口（１）が開口すると、管路（８）を介して負圧側切替口（２）と他の管路Ａが接続すると共に吸気用管路（９）と他の管路Ｂが接続し、前記正圧接続口（１）が閉鎖されて負圧接続口（４）が開口すると、管路（１０）を介して正圧側切替口（５）と他の管路Ｂが接続すると共に排気用管路（１１）と他の管路Ａが接続する如く、前記切替弁ユニット（７）の切替と、管路切替ユニット（２２）の切替が連動していることを特徴とする気体回路切替装置。
【請求項２】
吸気用管路（９）の先端にフィルタが配設され、及び／又は排気用管路（１１）の先端にマフラーが配設されている請求項１に記載された気体回路切替装置。
【請求項３】
一つのモーターによって稼動される２台のポンプ４１及び４５と請求項１又は２に記載された気体回路切替装置、並びに、噴霧ユニット及び吸引ユニットからなる噴霧・吸引装置であって、前記気体回路切替装置の正圧接続口（１）及び負圧接続口（４）に、切替弁ユニット（７）の開閉弁を介して、夫々前記噴霧ユニット（３０）及び吸引ユニット（３５）が接続している共に、他の管路Ａ及びＢが、夫々、ポンプ４１の吐出側並びにポンプ４５の吸引側に接続していることを特徴とする噴霧・吸引装置。
【請求項４】
吸引ユニット（３５）が、吸引管及び排気管を有する吸引物貯蔵ボトル（３６）を具備する請求項３に記載された噴霧・吸引装置。
【請求項５】
吸引ユニット（３５）が、負圧接続口（４）と吸引物貯蔵ボトル（３６）の間に、安全瓶（３７）を有する請求項３又は４に記載された噴霧・吸引装置。
【請求項６】
噴霧ユニットが噴霧量調節手段を有する、請求項３〜５の何れかに記載された噴霧・吸引装置。
【請求項７】
正圧接続口（１）における気体回路切替装置と噴霧ユニット側接続管との接続口の形状と、負圧側接続口（４）における気体回路切替装置と吸引ユニット側接続管との接続口の形状が、夫々誤って接続されることがないように異なった形状となっている、請求項３〜６の何れかに記載された噴霧・吸引装置。
【発明の詳細な説明】
【０００１】
【発明の属する技術分野】
本発明は、気体回路切替装置、及び、それ用いた噴霧・吸引装置に関し、特に、一つの装置で、切替えによって噴霧装置としてのみならず吸引装置としても使用することのできる、医療用の噴霧・吸引装置、及び、それに用いる気体回路切替装置に関する。
【０００２】
【従来の技術】
従来から、気管支喘息などの治療に用いる噴霧器や、痰などの分泌物等を除去するための吸引器が知られている。上記噴霧器は、ポンプの、空気を吐出する正圧によって患部に薬剤を噴霧するものであり、吸引器は、ポンプの、空気を吸引する負圧を利用して分泌物などを吸引するものである。
【０００３】
上記の如く、噴霧器も吸引器もポンプの正圧又は負圧を利用するので、一つのポンプで両者を稼動させることが可能である（例えば、実用新案登録第３０３６３３２号公報）。
しかしながら、医療用具においては、噴霧器と吸引器が、それぞれ独立・分離した回路を有していても、両者が同時に使用されると感染等の不測の事故が発生する恐れがあるので、両者が同時に使用可能となる装置は好ましくないものとされている。しかしながら、個々の噴霧器や吸引器に夫々ポンプを組み合せて各々独立した装置とすると、装置が必要以上に大型となる上不経済でもある。
【０００４】
そこで、本発明者は、上記の事情に鑑み、噴霧器側の気体回路か吸引器側の気体回路に選択的に接続し得る気体回路装置を創作し、この気体回路を介して噴霧ユニット及び吸引ユニットをポンプ側と接続することにより、選択的に噴霧器又は吸引器として稼動する噴霧・吸引装置を創作したものである。
【０００５】
【発明が解決しようとする課題】
従って本発明の第１の目的は、二つの気体回路に選択的に接続し、吐出側端部又は吸引側端部として機能し得る気体回路切替装置を提供することにある。
本発明の第２の目的は、選択的に噴霧器又は吸引器として機能し得る、小型の医療用噴霧・吸引装置を提供することにある。
【０００６】
【課題を解決するための手段】
本発明の上記の諸目的は、正圧接続口（１）と負圧側切替口（２）を有する管路（３）、負圧接続口（４）と正圧側切替口（５）を有する管路（６）、前記正圧接続口（１）と負圧接続口（４）の何れかを選択的に開口する切替弁ユニット（７）、前記負圧側切替口（２）と他の管路Ａとを接続し得る管路（８）、並びに、該管路（８）が接続している場合にのみ、他の管路Ｂと接続し得る吸気用管路（９）を有する切替え管路部（２０）、及び、前記正圧側切替口（５）と他の管路Ｂとを接続し得る管路（１０）並びに該管路（１０）が接続している場合のみに前記他の管路Ａと接続し得る排気用管路（１１）を有する切替え管路部（２１）から成る管路切替ユニット（２２）とを有する気体回路切替装置であって、前記負圧接続口（４）が閉鎖されて正圧接続口（１）が開口すると、管路（８）を介して負圧側切替口（２）と他の管路Ａが接続すると共に吸気用管路（９）と他の管路Ｂが接続し、前記正圧接続口（１）が閉鎖されて負圧接続口（４）が開口すると、管路（１０）を介して正圧側切替口（５）と他の管路Ｂが接続すると共に排気用管路（１１）と他の管路Ａが接続する如く、前記切替弁ユニット（７）の切替と、管路切替ユニット（２２）の切替が連動していることを特徴とする気体回路切替装置によって達成された。
【０００７】
【発明の実施の形態】
以下、本発明を図に基づいて説明する。
図１は、本発明の気体回路切替装置の原理図である。図中、符号１及び２は、気体管路３が有する正圧接続口及び負圧側切替口であり、４及び５は、気体管路６が有する負圧接続口及び正圧側切替口である。符号７は、正圧接続口１又は負圧接続口４の何れかを選択的に開口するための切替弁ユニットである。
【０００８】
符号２０は、前記気体管路３と他の管路Ａとを接続する管路８、並びに、他の管路Ｂに空気を供給する吸気用管路９を有する切替管路部であり、符号２１は、前記気体管路６と他の管路Ｂとを接続するための気体管路１０と、他の管路Ａから供給される空気を排出するための排気用管路１１を有する切替管路部であり、管路切替ユニット２２は、上記切替管路部２０及び２１によって構成される。切替管路部２０が接続しているときは、正圧側切替口５には盲蓋がされ、切替管路部２１が接続しているときは、負圧側切替口２に盲蓋がされることが好ましい。切替管路部２０及び２１の切替は、例えば電磁弁によって容易に行うことができる。尚、管路切替ユニット２２中の矢印は、接続を示すものであり、気体の流れ方向とは無関係である。
【０００９】
吸気管９の先端吸気口にはフィルター４４を配設することが好ましく、排気管１１の先端排気口にはマフラー４８を配設することが好ましい。
また、正圧接続口１が開口しているときは、切替管路部２０が接続状態となり、負圧接続口４が開口しているときは、切替管路部２１が接続状態となるように、切替弁ユニットと管路切替ユニットは、連動して切り替える。この切替は手動で行っても良いがスイッチによる電動操作としても良いことは当然である。
これらの管路、切替弁、切替手段、スイッチ等は、公知のものの中から適宜選択して組み合せれば良い。
【００１０】
次に、上記した本発明の気体回路切替装置を用いた、噴霧・吸引装置について詳述する。
図２は、本発明の噴霧・吸引装置の原理図であり、本図の場合には噴霧装置として機能している場合である。図中の符号１〜２２は図１中の符号と同じである。また、符号３０は噴霧ユニット、３５は浮子３６によって貯蔵限界が設定されている吸引物貯蔵ボトル３７からなる吸引ユニットであり、吸引ユニット３５と負圧接続口４との間には、ミスト状吸引物を停滞させるための安全瓶３８を配設することが好ましい。安全瓶には適量の水等の液体を入れ、吸引物貯蔵ボトルと接続する管路の安全瓶側端部を、上記液体中に位置させれば吸引物ミストを安全瓶で安全に遮断することができる。
【００１１】
符号４０は、ポンプ４１及び４５を駆動するためのモーターである。符号４２はポンプ４１の吐出口、４３は吸引口であり、この吸引口には、図の如く、フィルター４４を配設することが好ましい。符号４６はポンプ４５の吸引口、４７は吐出口であり、この吐出口には、図の如く、マフラー４８を配設することが好ましい。
【００１２】
図の如く、ポンプ４１の吐出口と接続している管路Ａと気体回路切替装置の管路３が接続しているときは、正圧接続口１が開口しており、ポンプ４１の吸引口４３から吸入された空気によって噴霧ユニット３０から薬液が噴霧される。この場合、ポンプ４５によって、吸引用管路９から吸引された空気は、ポンプ４５の吐出口４７から排気され、吸引ユニット側の正圧切替口５は盲蓋によって閉鎖されている。
【００１３】
一方、ポンプ４５の吸引口４６と接続している管路Ｂと気体回路切替装置の管路６が接続しているときは、正圧接続口１は閉鎖され、負圧接続口４が開口しており、吸引ユニットの吸引口から痰等の分泌物を吸引することができる。この場合、管路Ｂには、図の如く、真空計４９を設置することが好ましい。
また、ポンプ４１によって吸引された空気は、管路Ａと接続する排気用管路１１から排気される。尚、気体回路切替装置に対する正圧接続口１の形状と負圧接続口４の形状は、誤接続を防止するために、異なったものとすることが好ましい。本実施例においては、ポンプを１台用いたが、複数のポンプを同一機器内で用いることもできる。
【００１４】
【発明の効果】
本発明の気体回路切替装置は、切替によって全く別の気体管路が接続され、併用される管路が全くない。従って、本発明の気体回路切替装置によって切替使用される噴霧・吸引装置は、噴霧用の管路と吸引用の管路が完全に分離されているので、細菌が吸引側から噴霧側に混入する恐れがない。また、使用状態では、必ず噴霧装置又は吸引装置の何れか一方の機能しか発揮できないので、医療用の、小型噴霧・吸引装置として有用である。
【図面の簡単な説明】
【図１】本発明の気体回路切替装置の原理図である。
【図２】本発明の噴霧・吸引装置の原理図である。
【符号の説明】
１  正圧接続口
２  負圧側切替口
３  管路
４  負圧接続口
５  正圧側切替口
６  管路
７  切替弁ユニット
８  管路
９  吸気用管路
１０  管路
１１  排気用管路
２０  切替管路部
２１  切替管路部
２２  管路切替ユニット
３０  噴霧ユニット
３５  吸引ユニット
３６  浮子
３７  吸引物貯蔵ボトル
３８  安全瓶
４０  モーター
４１  ポンプ
４２  吐出側排気口
４３  吸引側吸気口、
４４  フィルター
４５  ポンプ
４６  吸引側吸気口
４７  吐出側排気口
４８  マフラー
４９  真空計
【図１】
0004049420.tif 000002
【図２】
0004049420.tif 000003